【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
下記一般式（１）で表される化合物により、ハロゲン化銀カラー写真感光材料の感度を増加させる方法。
【化１】
2003222985.tif 000001
一般式（１）中、Ｒ11は、水素原子又は置換基を表す。Ｚ11は、窒素原子又は−Ｃ（Ｒ12）＝を表し、Ｚ12は窒素原子又は−Ｃ（Ｒ13）＝を表す。Ｒ12およびＲ13はそれぞれ独立に、水素原子又は置換基を表す。
Ｘ1は−ＣＯＮ（Ｒ14）−、−ＳＯ2Ｎ（Ｒ14）−、−ＣＯＯ−、−Ｎ（Ｒ14）ＣＯ−、−Ｎ（Ｒ14）ＳＯ2−、−Ｃ（Ｒ15）（Ｒ16）−、−Ｓ（＝Ｏ）−、−Ｓ（＝Ｏ）2−を表し、Ｒ14は水素原子、アルキル基、アリール基またはヘテロ環基を表し、Ｒ15、Ｒ16は水素原子、アルキル基またはアリール基を表す。
Ｙ1はＸ1が−ＣＯＮ（Ｒ14）−、−ＳＯ2Ｎ（Ｒ14）−、−Ｎ（Ｒ14）ＣＯ−、−ＣＯＯ−、−Ｃ（Ｒ15）（Ｒ16）−のとき、水素原子、アルキル基、アリール基またはヘテロ環基を表し、Ｘ1が−Ｎ（Ｒ14）ＳＯ2−、−Ｓ（＝Ｏ）−、−Ｓ（＝Ｏ）2−のとき、アルキル基、アリール基またはヘテロ環基を表す。
【請求項２】
下記一般式（１）で表される化合物により、ハロゲン化銀カラー写真感光材料の感度を増加させる方法。
【化２】
2003222985.tif 000002
一般式（１）中、Ｒ11は、水素原子又は置換基を表す。Ｚ11は、窒素原子又は−Ｃ（Ｒ12）＝を表し、Ｚ12は窒素原子又は−Ｃ（Ｒ13）＝を表す。Ｒ12およびＲ13はそれぞれ独立に、水素原子又は置換基を表す。
Ｘ1は−ＣＯＮ（Ｒ14）−、−ＳＯ2Ｎ（Ｒ14）−、−ＣＯＯ−、−Ｎ（Ｒ14）ＣＯ−、−Ｎ（Ｒ14）ＳＯ2−、−Ｃ（Ｒ15）（Ｒ16）−、−Ｓ（＝Ｏ）−、−Ｓ（＝Ｏ）2−を表し、Ｒ14は水素原子、アルキル基、アリール基またはヘテロ環基を表し、Ｒ15、Ｒ16は水素原子、アルキル基またはアリール基を表す。
Ｙ1はＸ1が−ＣＯＮ（Ｒ14）−、−ＳＯ2Ｎ（Ｒ14）−、−Ｎ（Ｒ14）ＣＯ−、−ＣＯＯ−、−Ｃ（Ｒ15）（Ｒ16）−のとき、水素原子、アルキル基、アリール基またはヘテロ環基を表し、Ｘ1が−Ｎ（Ｒ14）ＳＯ2−、−Ｓ（＝Ｏ）−、−Ｓ（＝Ｏ）2−のとき、アルキル基、アリール基またはヘテロ環基を表す。ただし、Ｒ11、Ｒ12、Ｒ13、Ｘ1およびＹ1で表される置換基の炭素数の合計は１３以上である。
【請求項３】
一般式（１）で表される化合物が、一般式（１）において、Ｒ11、Ｒ12、Ｒ13、Ｒ14、Ｘ1またはＹ1で表される基の中に少なくとも一つの解離性基を含有する化合物であることを特徴とする請求項１または請求項２に記載のハロゲン化銀カラー写真感光材料の感度を増加させる方法。
【請求項４】
一般式（１）で表される化合物が、一般式（１）において、Ｒ11、Ｒ12、Ｒ13、Ｒ14、Ｘ1またはＹ1で表される基の中に少なくとも一つのアルキルチオ基、アリールチオ基、又はヘテロ環チオ基を含有する化合物であることを特徴とする請求項１または請求項２に記載のハロゲン化銀カラー写真感光材料の感度を増加させる方法。
【請求項５】
一般式（１）で表される化合物が、一般式（１）において、Ｚ11が窒素原子、Ｚ12が−Ｃ（Ｒ13）＝で表され、Ｒ13がアリール基であり、Ｒ11、Ｒ13、Ｒ14、Ｘ1またはＹ1で表される基の中に少なくとも一つの解離性基を含有する化合物であることを特徴とする請求項１ないし請求項４のいずれか一項に記載のハロゲン化銀カラー写真感光材料の感度を増加させる方法。
【請求項６】
一般式（１）で表される化合物が、一般式（１）において、Ｚ11が窒素原子、Ｚ12が−Ｃ（Ｒ13）＝で表され、Ｒ13がアリール基であり、Ｒ11、Ｒ13、Ｒ14、Ｘ1またはＹ1で表される基の中に少なくとも一つのアルキルチオ基、アリールチオ基、又はヘテロ環チオ基を含有する化合物であることを特徴とする請求項１ないし請求項４のいずれか一項に記載のハロゲン化銀カラー写真感光材料の感度を増加させる方法。
【請求項７】
一般式（１）で表される化合物が、一般式（１）において、Ｘ1が−ＣＯＮＨ−、−ＣＯＯ−である化合物であることを特徴とする請求項１ないし請求項６のいずれか一項に記載のハロゲン化銀カラー写真感光材料の感度を増加させる方法。
【請求項８】
下記一般式（２）で表される化合物により、ハロゲン化銀カラー写真感光材料の感度を増加させる方法。
【化３】
2003222985.tif 000003
一般式（２）中、Ｒ21は、水素原子又は置換基を表す。Ｚ21は、窒素原子又は−Ｃ（Ｒ22）＝を表し、Ｚ22は窒素原子又は−Ｃ（Ｒ23）＝を表す。Ｒ22およびＲ23はそれぞれ独立に、水素原子又は置換基を表す。
Ｘ2は主薬酸化体とのカップリングによって離脱可能な基を表す。一般式（２）において、Ｒ21及びＺ21、Ｚ22は、一般式（２）で表される化合物が主薬酸化体と反応して形成される色素が、処理時に感材から流出し、実質的に画像形成に寄与しないように選択される。
【請求項９】
下記一般式（２）で表される化合物により、ハロゲン化銀カラー写真感光材料の感度を増加させる方法。
【化４】
2003222985.tif 000004
一般式（２）中、Ｒ21は、水素原子又は置換基を表す。Ｚ21は、窒素原子又は−Ｃ（Ｒ22）＝を表し、Ｚ22は窒素原子又は−Ｃ（Ｒ23）＝を表す。Ｒ22およびＲ23はそれぞれ独立に、水素原子又は置換基を表す。
Ｘ2は主薬酸化体とのカップリングによって離脱可能な基を表す。ただし、Ｒ21、Ｒ22、Ｒ23およびＸ2で表される置換基の炭素数の合計は１３以上である。一般式（２）において、Ｒ21及びＺ21、Ｚ22は、一般式（２）で表される化合物が主薬酸化体と反応して形成される色素が、処理時に感材から流出し、実質的に画像形成に寄与しないように選択される。
【請求項１０】
一般式（２）で表される化合物が、一般式（２）において、Ｒ21、Ｒ22、Ｒ23、Ｘ2で表される基の中に少なくとも一つのアルキルチオ基、アリールチオ基、又はヘテロ環チオ基を含有する化合物であることを特徴とする請求項８または請求項９に記載のハロゲン化銀カラー写真感光材料の感度を増加させる方法。
【請求項１１】
一般式（２）で表される化合物が、一般式（２）において、Ｚ21が窒素原子、Ｚ22が−Ｃ（Ｒ23）＝で表され、Ｒ23がアリール基であり、Ｒ21、Ｒ23、Ｘ2で表される基の中に少なくとも一つのアルキルチオ基、アリールチオ基、又はヘテロ環チオ基を含有する化合物であることを特徴とする請求項８ないし請求項１０のいずれか一項に記載のハロゲン化銀カラー写真感光材料の感度を増加させる方法。
【手続補正２】
【補正対象書類名】明細書
【補正対象項目名】００９０
【補正方法】変更
【補正の内容】
【００９０】
【化１３】
2003222985.tif 000005
【手続補正３】
【補正対象書類名】明細書
【補正対象項目名】００９９
【補正方法】変更
【補正の内容】
【００９９】
【化２０】
2003222985.tif 000006
【手続補正４】
【補正対象書類名】明細書
【補正対象項目名】０１００
【補正方法】変更
【補正の内容】
【０１００】
【化２１】
2003222985.tif 000007
【手続補正５】
【補正対象書類名】明細書
【補正対象項目名】０１１５
【補正方法】変更
【補正の内容】
【０１１５】
【化２７】
2003222985.tif 000008
【手続補正６】
【補正対象書類名】明細書
【補正対象項目名】０１８６
【補正方法】変更
【補正の内容】
【０１８６】
【化３８】
2003222985.tif 000009